(57)【要約】【課題】  リブ組織の編み出し部において、滑りが悪く伸縮しない編糸の場合でも、伸ばされた編み出し部の渡り糸のはみ出しを抑えて見栄えを改善する編成方法とその編地を提供する。【解決手段】リブ組織の編み出し方法において、一方の針床と他方の針床に交互に編糸を掛け渡して編み出し部の始端とする工程と、少なくとも一方の針床の編目または掛け目を係止する編針に対して平袋編み編成を行い編み出し部の終端とする工程と、編み出し部の始端と終端を形成する間に捻れ目を形成する工程と、前記編み出し部の形成後に繋がるリブ部の配列に移行する編み出し部の終端編目の移動工程とを行う。【選択図】図２
2010265557.tif 000002
【特許請求の範囲】
【請求項１】
少なくとも前後一対の針床を有する横編機を用いて行う、編み出し部とリブ部で構成されるリブ組織の編み出し方法において、一方の針床と他方の針床に交互に編糸を掛け渡して編み出し部の始端とする工程と、少なくとも一方の針床の編目または掛け目を係止する編針に対して平袋編み編成を行い編み出し部の終端とする工程と、編み出し部の始端と終端を形成する間に捻れ目を形成する工程と、前記編み出し部の形成後に繋がるリブ部の配列に移行する編み出し部の終端編目の移動工程を含むことを特徴とするリブ組織の編み出し方法。
【請求項２】
前記捻れ目の形成は、前記リブ部の配列に移行する編み出し部の終端編目の移動工程で、移動しない編目に対して行うことを特徴とする請求項１記載のリブ組織の編み出し方法。
【請求項３】
規則的に表裏の編目が並ぶリブ組織の配列に繋がる編み出し部の編目に、捻れ目を備えることを特徴とするリブ組織の編み出し部を有する編地。
【発明の詳細な説明】
【技術分野】
【０００１】
本発明は、横編機によるリブ組織の編み出し方法およびその編地に関する。
【背景技術】
【０００２】
文献１では、リブ組織の袋編地の編成方法が示されている。任意のリブ組織に繋げる編み出しとして、１ｘ１リブ組織を編成後、平袋編コースを編成し、その後編成を行うリブ組織の配列に編目を移動する。
【０００３】
図４に、先行技術の文献１で示す公知の技術を活用して３ｘ３リブに繋げる編み出し部のイメージ図を示す。図４におけるＦＢは前針床を、ＢＢは後針床を、黒点は編針を示し、それを囲む曲線は編目や渡り糸を示す。点線の矢印はニットウェアの着用時などに編み出し部の編目が引っ張られる方向を示す。また、これらの定義は、後述する図２、図３においても同様である。
【先行技術文献】
【特許文献】
【０００４】
【特許文献１】特開昭６０−１９４１５４号公報
【発明の概要】
【発明が解決しようとする課題】
【０００５】
文献１の編成方法を適用する際、特に滑りが悪く伸縮しない編糸などの場合、形成された編み出し部を持つニットウェアの裾リブでは、着用して伸ばされたリブ組織の始端部の渡り糸が、伸ばされて小さくなった編目が元に戻る際に糸の抵抗で突っ張って編地からはみ出してしまい、見栄えが悪く目立ってしまうことがある。本発明では、滑りが悪く伸縮しない編糸の場合でも、編み出し部の渡り糸のはみ出しを抑えて見栄えを改善する編成方法とその編地を提供する。
【課題を解決するための手段】
【０００６】
本発明の編成方法は、少なくとも前後一対の針床を有する横編機を用いて行う、編み出し部とリブ部で構成されるリブ組織の編み出し方法において、一方の針床と他方の針床に交互に編糸を掛け渡して編み出し部の始端とする工程と、少なくとも一方の針床の編目または掛け目を係止する編針に対して平袋編み編成を行い編み出し部の終端とする工程と、編み出し部の始端と終端を形成する間に捻れ目を形成する工程と、前記編み出し部の形成後に繋がるリブ部の配列に移行する編み出し部の終端編目の移動工程を含むことを特徴とする。
【０００７】
また、前記捻れ目の形成は、前記リブ部の配列に移行する編み出し部の終端編目の移動工程で、移動しない編目に対して行うことを特徴とする。
【０００８】
本発明の編地は、規則的に表裏の編目が並ぶリブ組織の配列に繋がる編み出し部の編目に、捻れ目を備えることを特徴とする。
【発明の効果】
【０００９】
本発明の編成方法によれば、捻れ目を形成することで、編糸長を減らし、編糸が引き伸ばされて小さくなった編目を元に戻る力を高めている。
【００１０】
また本発明の編成方法によれば、捻れ目の形成を移動しない編目に対して行うことで、編成を容易にしている。
【００１１】
本発明の編成方法による編地は、渡り糸のはみ出しが抑えられて見栄えがよい。
【図面の簡単な説明】
【００１２】
【図１】本発明の実施例の３ｘ３リブ組織を備える前身頃１の概略図である。
【図２】本発明の実施例の３ｘ３リブ組織の編み出し部のイメージ図である。
【図３】本発明の実施例の３ｘ３リブ組織の編み出し部の編成の概略図である。
【図４】公知の編成方法で形成された３ｘ３リブ組織の編み出し部のイメージ図である。
【発明を実施するための形態】
【００１３】
次に、本発明の好適な実施の形態を図面に基づいて詳細を説明する。この実施形態では、後針床が左右にラッキング可能な２枚ベッドの横編機を用いて、裾部に３ｘ３リブ組織を有する前身頃１の編み出し部の編成を説明する。図中、アルファベットで編針の位置を、Ｖ字で掛け目を、実線の矢印で対向の針床への編目の移動を示し、点線での矢印は、編目や編糸の動きを示す。使用する横編機は、４枚ベッド機であっても良い。
【実施例】
【００１４】
図１は、本発明の実施例の３ｘ３リブ組織を備える前身頃１の概略図である。表目が３目と裏目が３目続く６目を基本パターンとして繰り返して並ぶ３ｘ３リブが裾部に配置されている。裾リブは、始端となる編み出し部３とリブ部４により構成される。裾リブが終了すると、天竺により編成を行い、アームホール部５で編幅の減らしとＶ首部６で給糸口の追加を行い、肩部７で伏目を行って前身頃１を完成する。
【００１５】
図２は、本発明の実施例の３ｘ３リブ組織の編み出し部のイメージ図である。図１の編み出し部３の一部を示し、表目として編針ａ，ｅ，ｆ，ｇ，ｋ，ｌと、裏目として編針Ｂ，Ｃ，Ｄ，Ｈ，Ｉ，Ｊとに編目が係止されている。捻れ目１１を形成することで、引き伸ばされて小さくなった編目（捻れ目１１）は元に戻りやすくなるので、編目（編糸）の動きを示す点線矢印の方向は両方向に向いている。
【００１６】
図３は、本発明の実施例の３ｘ３リブ組織の編み出し部３の編成の概略図である。Ｓ０は、編み出し部３の始端となる所謂トメを形成する為の編成である。後針床ＢＢと前針床ＦＢとに交互に編糸を掛け渡している。具体的には、編針Ａ，ｂ，Ｃ，ｄ，Ｅ，ｆ，Ｇ，ｈ，Ｉ，ｊ，Ｋ，ｌに対して順次編成を行う。後針床ＢＢの編針Ａ，Ｃ，Ｅ，Ｇ，Ｉ，Ｋには、Ｓ０の前コースで抜き糸としての編目が係止されているので編目になっており、前針床ＦＢの編針ｂ，ｄ，ｆ，ｈ，ｊ，ｌには編目が係止されておらず、その結果、掛け目になっている。
【００１７】
Ｓ０の編針Ｃ，Ｉに対し捻れ目を形成する。編針Ａ，ｂに給糸して編成した後、編針Ｃを一旦通過し、反転して編針Ａ方向に向かう際に、編針Ｃに新たな捻れ目を形成する。再び反転して編針ｄ，Ｅ，ｆ，Ｇ，ｈに給糸して掛け目と編目を形成した後、編針Ｉを一旦通過し、再度反転して編針Ａ方向に向かう際に編針Ｉに新たな捻れ目を形成する。その後、給糸の方向を変えて、編針ｊ，Ｋ，ｌに対して掛け目と編目を形成する。
【００１８】
Ｓ１では、給糸の方向を変え、前針床ＦＢの編針ｌ，ｊ，ｈ，ｆ，ｄ，ｂに給糸して、新たな編目を形成する。トメを形成した後の編み出し部３の終端となる平袋編成である。この場合にも、編針ｌ，ｆには、捻れ目を形成する。Ｓ０の編成後、編針ｌを一旦通過して編針ｋ側に移動し、反転して編針ｌを通過する際に、編針ｌに新たな捻れ目を形成する。再び反転して編針ｊ，ｈに給糸して編目を形成した後、編針ｆを一旦通過し、再度反転して編針ｆを通過する際に、編針ｆに新たな捻れ目を形成する。その後、給糸の方向を変えて、編針ｄ，ｂに対して編目を形成する。
【００１９】
Ｓ２は、リブ部４への編目の配列を行うスタートとして編目の移動を示す。後針床ＢＢの編針Ａ，Ｅ，Ｇ，Ｋに係止する編目を、それぞれ前針床ＦＢの編針ａ，ｅ，ｇ，ｋに目移しを行う。最終的には、図２で示す３ｘ３リブ組織になるように、前針床の編針ａ，ｅ，ｆ，ｇ，ｋ，ｌと後針床ＢＢの編針Ｂ，Ｃ，Ｄ，Ｈ，Ｉ，Ｊの配列に、Ｓ１で示す１ｘ１リブ組織の編目から入れ替える。
【００２０】
Ｓ３は、Ｓ２で目移しを行った編針Ａ，Ｇの編目を、編針Ｂ，Ｈに移し戻す。Ｓ４は、Ｓ２で目移しを行った編針Ｅ，Ｋの編目を、編針Ｄ，Ｊに移し戻す。この状態で、Ｓ１の段階で１目置きに並んでいた編針Ａ，Ｃ，Ｅに係止する編目が、編針Ｂ，Ｃ，Ｄに係止する３目並んだ状態を後針床に形成している。
【００２１】
Ｓ５は、前針床ＦＢの編針ｄ，ｊに係止する編目を、それぞれ後針床ＢＢの編針Ｅ，Ｋに目移しを行う。Ｓ６は、前針床ＦＢの編針ｂ，ｈに係止する編目を、それぞれ後針床ＢＢの編針Ａ，Ｇに目移しを行う。Ｓ７は、Ｓ５とＳ６で目移しを行った編針ｄ，ｊ，ｂ，ｈの編目を、それぞれ編針ｅ，ｋ，ａ，ｇに移し戻す。この状態では、Ｓ１の段階で１目置きに並んでいた編針ｄ，ｆ，ｈに係止する編目が、編針ｅ，ｆ，ｇに係止する３目並んだ状態を前針床に形成している。編み出し部３を形成したこの後、リブ部４をそのままの配列で編成すれば、裾リブとしての３ｘ３リブ組織が完了する。
【００２２】
Ｓ２〜Ｓ７の工程により、１ｘ１リブ組織の編目を入れ替えて３ｘ３リブ組織としている。ここでは、編糸が短くなる捻れ目を形成した編針ｌ，ｆと編針Ｃ，Ｉに係止する編目は目移しを行っておらず、編成が容易となる。さらに、捻れ目を形成するには空コースを追加することになるが、全ての編目にではなく、両側に伸ばされる力が強く働く３目並ぶ真ん中の編目のみに捻れ目の形成を行うことで、少ない空コースの追加で高い効果が得られる。両側に伸ばされて長く延びた渡り糸を元に戻すからである。
【００２３】
本実施例では、１ｘ１リブの状態から、３ｘ３リブ組織の状態に前後針床の関係を変えずに並び替えるようにしている。また、その他の３ｘ１リブや２ｘ２リブ、４ｘ２リブなど、任意のリブパターンに対しても、本実施例のＳ２〜Ｓ７の工程と同様にして、１ｘ１リブの状態から、各リブパターンの配列に編目を入れ替えるようにして、移動しない編目に対して捻れ目を形成すれば、同様に編み出し部の渡り糸のはみ出しを抑えて見栄えを改善することが出来る。
【００２４】
また、本発明では、前身頃１で示しているだけでなく筒状の編地についても適用することができる。更に、平袋編成を前針床でのＳ２のみとしているが、同様に後針床でも行ってよい。その場合、編み出し部３の始端としてＳ０で行った編針Ｃ，Ｉでの捻れ目の形成は行わず、後針床で平袋編成を行う際に形成すればよい。
【符号の説明】
【００２５】
１                  前身頃
３                  編み出し部
４                  リブ部
１１                捻れ目
【図１】
2010265557.tif 000003
【図２】
2010265557.tif 000004
【図３】
2010265557.tif 000005
【図４】
2010265557.tif 000006